(57)【要約】【課題】本発明の目的は、端部分に半径方向に突出する締付け顎を有さず、異なる広がった径で固締できる締付け具と、広がった状態で固締された締付け具を危険なく解除できる装置を提供することである。【解決手段】管上のホースを締め付けるホース締付け具は環状に屈曲したばねバンド及び端部分を有し、ばねバンドが広がった位置でばねバンドのばね力に対してホースの名目上の径を越えて幅広になるとき、端部分は固締位置で互いを確実に固締する。端部分の固締位置はばねバンドがホースについて縮めるように解除することができる。端部分はホース締付け具の軸方向に互いに横方向に隣接して位置し、ホース締付け具の軸方向に互いに向かい合う第１の縁及び第２の縁を有する。第１及び第２の縁は少なくとも１つの横方向に突出する歯をそれぞれ有する。【選択図】　　　図１
2004036883.tif 000002
【特許請求の範囲】
【請求項１】
環状に屈曲し、ばねバンド（２）が広がって離れた位置で、前記ばねバンド（２）のばね力に対してホースの名目上の径を越えて幅広のとき、固締位置で互いに確実に固締するよう構成される端部分（３、４）を含む前記ばねバンド（２）を含み、前記端部分（３、４）の固締位置を解除することができ、それにより前記ばねバンド（２）がホースを縮め、
前記端部分（３、４）がホース締付け具の軸方向に互いに横方向に隣接して位置し、前記ホース締付け具の軸方向に互いに向き合う第１の縁及び第２の縁を有し、
前記第１及び第２の縁が少なくとも１つの横方向に突出する歯（５、６；２５、２６；３５、３６）をそれぞれ有することを特徴とする、管上のホースを締め付けるホース締付け具。
【請求項２】
前記第１の縁の前記少なくとも１つの歯（５；２５；３５）が前記ばねバンド（２）の広がった位置で、前記第２の縁の前記少なくとも１つの歯（６；２６；３６）と結合するように適合されることを特徴とする、請求項１に記載のホース締付け具。
【請求項３】
前記ホース締付け具の上を半径方向から見て、前記第１及び第２の縁の前記少なくとも１つの歯（５、６；３５、３６）がそれぞれ実質上三角形であることを特徴とする、請求項１に記載のホース締付け具。
【請求項４】
前記第１及び第２の縁の前記少なくとも１つの歯（５、６；３５、３６）がそれぞれ前記端部分（３、４）の自由端（７、８；９、１０）に向かって傾斜することを特徴とする、請求項１に記載のホース締付け具。
【請求項５】
前記第１及び第２の縁の前記少なくとも１つの歯（３５、３６）が前記ホース締付け具の半径方向に屈曲し、前記少なくとも１つの歯（３５、３６）がそれぞれ前記ばねバンド（２）の環状の周囲を越えて突出することを特徴とする、請求項１に記載のホース締付け具。
【請求項６】
前記ホース締付け具の上を半径方向から見て、前記第１及び第２の縁の前記少なくとも１つの歯（２５、２６）がそれぞれ長方形であることを特徴とする、請求項１に記載のホース締付け具。
【請求項７】
前記端部分（３、４）を一緒に前記ばねバンド（２）の広がった位置で担持する結合部材（２８）をさらに含み、前記結合部材（２８）が３つの平行する脚（２９−３１）を有し、前記３つの脚の第１の脚が反対側の歯の隙間に突出し、前記３つの脚の第２の脚及び第３の脚（２９、３１）が前記端部分（３、４）の軸方向外側の縁に対して押圧されることを特徴とする、請求項１に記載のホース締付け具。
【請求項８】
前記結合部材（２８）が握り（３３）を有することを特徴とする、請求項７に記載のホース締付け具。
【請求項９】
前記握り（３３）が環状であることを特徴とする、請求項８に記載のホース締付け具。
【請求項１０】
広がったホース締付け具を解除する解除装置（１６）であって、前記ホース締付け具が環状に屈曲するばねバンド（２）と前記ばねバンド（２）が広がった位置で、前記ばねバンド（２）のばね力に対してホース（１）の名目上の径を越えて幅広になるとき、固締位置で互いに確実に固締するよう構成される端部分（３、４）を含み、前記端部分（３、４）の固締位置を解除することができ、それにより前記ばねバンドが前記ホース（１）を縮め、前記端部分（３、４）が互いに横方向に隣接して位置し、前記ホース締付け具の軸方向に互いに向き合う第１の縁及び第２の縁を有し、前記第１及び第２の向かい合う縁がそれぞれ少なくとも１つの横方向に突出する歯（５、６；２５、２６；３５、３６）を有し、
前記端部分の第１の端部分（４）上で固締されるよう適合され、
スライド（２０）とホース締付け具のホース（１）の存在を検知する２つの存在センサ（２１、２２）を含み、
前記スライド（２０）が、前記ホース締付け具の半径方向において、前記端部分の第２の端部分（３）と結合するように構成され、前記存在センサ（２１、２２）の検知範囲が前記第１及び第２の端部分（３、４）の軸方向外側の縁に隣接して配置され、前記スライド（２０）の滑動移動が、前記ホース（１）が前記存在センサ（２１、２２）によりホース締付け具で検知されたとき、一定量解除され及び前記第２の端部分（３）が引っ張られ、前記スライド（２０）が前記一定量進んだ後、前記第１及び第２の端部分（３、４）の歯（５、６；３５、３６）が半径方向に移動して結合が外れることを特徴とする解除装置。
【請求項１１】
前記第１の端部分（４）上に磁気によって固締するように構成されることを特徴とする、請求項１０に記載の装置。
【請求項１２】
前記スライド（２０）が電磁気によって駆動するように構成されることを特徴とする、請求項１０に記載の装置。
【発明の詳細な説明】
【０００１】
【発明の属する技術分野】
本発明は管又はその種のもの上のホースを締め付けるホース締付け具に関し、それは環状に屈曲するばねバンドを含み、その端部分は、ホース締付け具がホースの名目上の径を越えてばねバンドのばね力に抗して広がる位置で、互いに関して固締することができる。その際この固締位置は解除することができ、それによりばねバンドがホースをきつく縮める。さらに、本発明はホース締付け具を解除する装置に関する。
【０００２】
【従来の技術】
こうしたホース締付け具は「ばねバンド締付け具」としても引用され、例えば米国特許５，４１４，９０５又は米国特許５，８６４，９２６から既知である。ここでは、１つの端部分が長穴を通じてばねバンドの他の端部分に案内され、両方の端部分には半径方向に突出する締付け顎が提供される。固締状態において、１つの端部分上に提供されるフック又は１つの端部分上に提供されるタブが他の端部分の締付け顎の背後で結合する。しかし締付け顎は締付け具の周囲を越えて比較的遠くまで突出する。こうした締付け顎は多くの材料を必要とし、支障を与え、損傷の原因となりうる。締付け顎がもっと短い又は非常に平坦である場合、例えば米国特許４，４２５，６８１又は５，２０３，８０９から既知であるように、広がった締付け具が自分で動いて解除する危険があり、それによりホース締付け具が締め付けられるホース上を滑る前に高速で取り払われたり人を傷つける原因となる。
【０００３】
さらに、端部分が互いに対して横方向に隣接して位置し、半径方向に突出する締付け顎を有しないばねバンド締付け具は商業上利用できる。しかし、それらは広がった状態で固締することはできない。
【０００４】
ばねバンド締付け具が広がった状態で固締できるすべての既知の場合において、固締することは締付け具が幅広になれる所定の名目上の径に対してのみ可能である。
【０００５】
【発明が解決しようとする課題】
本発明の目的は、前述した種類の締付け具を提供することである。その締付け具は端部分に半径方向に突出する締付け顎を有さず、異なる広がった径で固締できる。さらに、広がった状態で固締された締付け具を危険なく解除できる装置が提供される。
【０００６】
【課題を解決するための手段】
本発明によると、これは端部分が互いに対して横方向に隣接して位置し、締付け具の軸方向に互いに向きあう縁に、少なくとも１つの横方向に突出する歯がそれぞれ提供され、その歯が確実に固締する作用を作り出すことにより達成される。
【０００７】
この解決策によると、広がった締付け具を固締するのに締付け顎は要求されない。それらはもはや必要ない。その代わり、締め付けが単純な道具、例えばばねバンドの自由端を結合するペンチにより実現されうる。
【０００８】
ばねバンドが広がった位置で、１つの縁の各歯が確実に他の縁の歯とそれぞれ結合に至ることが可能である。結合は、好ましくは、締付け具が道具により広がった位置で固定される間に、端部分が互いに向かって軸方向に屈曲し、永久歪の原因とならずに実現される。それは歯の列が道具によって決められたばねバンドの望ましい広がり径で結合に至るまでである。このように、２つの縁の１つずつに歯の列を有する構成の場合、ばねバンドの拡張を異なるホースの径に調節することが可能であり、それにより全く同一のホース締付け具が異なる径のホースに使用できる。もはや各ホース径用に、要求されるホースの径で広がった位置で固締できる異なるホース締付け具をそれぞれ製造する及び保存する必要はない。
【０００９】
好ましくは、ホース締付け具を半径方向から見て、歯はほぼ三角形である。その後歯の列は容易に結合に至る。
【００１０】
また、歯はばねバンドのそれぞれの自由端に向かって傾斜する。これは互いに結合する歯の固定作用の安全性を増加する。なぜなら歯が互いに背後から結合できるからである。
【００１１】
さらに、歯はホース締付け具の半径方向に屈曲でき、それによりばねバンドの環状の周囲を越えて部分的に突出する。その後互いに結合する歯又は歯の列の縁及び角は他の端部分の歯又は複数の歯の向かい合う側面と結合する。これは端部分が半径方向に偶然広がることをさらに難しくする。
【００１２】
歯の三角形の形状の代替案として、ホース締付け具を半径方向から見て、歯が長方形の形状を有することも可能である。その後歯が結合状態で広がった位置のより大きい径でも歯に比較的高い負荷をかけられる。
【００１３】
代替案として、端部分の歯がホース締付け具が広がった状態で結合しないことも可能である。代わりに、端部分がばねバンドが広がった位置で結合部材によって固定される。結合部材は３つの平行な脚を有し、その１つの脚は反対側の歯の隙間と結合し、他の２つの脚はそれぞれ端部分の軸方向外側のへりに対して載る。この結合では、端部分が歯の相互結合を維持するために互いに向かって屈曲する必要はない。
【００１４】
その後結合部材は握りを有し、それを使用して結合部材はばねバンドを含む広がった締付け具を解除するために離脱される。
【００１５】
握りは好ましくは環状又は輪状であり、それにより容易に握ることができる。
【００１６】
結合状態の歯の列を伴う広がった締付け具を解除する本発明による装置は、好ましくは磁気によって１つの端部分上に固締でき、好ましくは電磁気によって駆動するスライドと２つの存在センサを含む。解除装置が１つの端部分に取り付けられるとき、スライドが滑動するやり方で他の端部分と締付け具の半径方向に結合する。存在センサの検知範囲は端部分の軸方向外側の縁に隣接して配置され、ホース締付け具のホースの存在が２つの存在センサにより確定される際、スライドの移動はばねバンドの他の端部分を引っ張ることにより一定量解除でき、この量に届く際、端部分の歯が半径方向に移動し、結合が外れる。
【００１７】
原則として、単純なねじ回しにより解除を実行することが可能である。そのねじ回しの刃は互いに結合しない端部分の領域に移動し、その後そのねじ回しは回転する。しかし上述した装置は締付け具が広がった状態にあり、ホースについてあらかじめ取り付けられたときに限り自ら解除できるという利点を有する。ホース締付け具がホースについて配置されないが、ホースから離れて広がった位置で固締状態にある限り、従って存在センサはホース締付け具が配置される目的物を検知せず、ホース締付け具は解除できない。ホース締付け具は定位置に嵌め込むことに起因する反力の結果として偶然には開かず及び取り払われず、そして人を傷つけない。
【００１８】
【発明の実施の形態】
図１から図３によるホース締付け具は、管（図示せず）又はその種のもの上のホース１を固定するのに有用である。ホース締付け具は環状形のばねバンド２を含み、その端部分３及び４は確実に固締する方法でホース締付け具の位置、図１によれば、ホースランプがばねバンドのばね力に対してホースの名目上の径を越えて広がる位置で固締できる。固締装置の固締位置は解除することができ、それによりばねバンド２はホース１を締める又は縮める。端部分３及び４は互いに横方向に隣接して位置し、互いにホース締付け具の軸方向に向かい合う縁に横方向に突出する歯５、６の列がそれぞれ提供され、確実に固締する作用を作り出す。図示された実施形態では、各列は４つの歯５、６をそれぞれ有する。
【００１９】
図１及び図２によるばねバンド２の広がった位置では、１つの列の２つの歯５が他の列の２つの歯６とかみ合う。ホース締付け具の半径方向から見ると、歯５、６は三角形である。さらに、それらは端部分３及び４の自由端７及び８に向かってそれぞれ傾斜している。
【００２０】
図４及び図５では、本発明によるホース締付け具の図１から図３の実施形態に関する変更が図示されている。そこでは端部分３及び４の自由端９及び１０がわずかに半径方向外側に屈曲し、それによりホース締付け具が、固締後、例えば図１、図２、図４及び図５に示されるような広がった位置から、例えば図３に示されるように、ホースについてきつく縮めるとき、端部分は幾分容易にホース上を滑動することができる。それはホース締付け具が広がった位置で示すばね張力の結果である。
【００２１】
解除は、例えばねじ回し１１により実現され、その刃は図５によると端部分３及び４の間で縁領域に隣接する位置に移動する。そこでは１つ又は他の端部分３、４は歯を有さず、従って幾分小さい。その後ねじ回し１１が回転する。
【００２２】
図６及び図７は、例えば２５ｍｍから２７ｍｍの範囲のホース径用に構成されたばねバンド２の位置を示し、ホース１がホース締付け具の名目上の径の範囲のうち２５ｍｍという最も小さい径を有するときのものである。この状況では、ばねバンド２はわずかに半径方向外側に突出する端７及び８を除いて、ホース１の周囲に対して環状に載る。
【００２３】
図８及び図９は、２５ｍｍから２７ｍｍの範囲のホース径用に構成された同じばねバンド２の位置を示し、解除状態である２７ｍｍというホース１の最大の径用のものである。その際ばねバンド２はホース１の周囲に対してきつく載る。この状況では、ばねバンド２の端７及び８もホース１の周囲に対して載る。
【００２４】
２６ｍｍというホース１の中間のサイズに対しては、一方では図６及び図７の位置と他方では図８及び図９の位置の間の対応する中間の位置という結果となる。
【００２５】
従って、ホース締付け具は異なる開口幅で固締でき、締付け具がその上を滑るホース１のそれぞれの径に対応する。その後ホース締付け具は解除され、それによりばねバンド２がホース１について確実に締める。そしてそれぞれの管又はその種のもの上にホース１を固定する又は締め付ける。
【００２６】
しかし、広がった状態で固締できない、すなわち歯５、６が広がった位置では互いに結合に至ることができない従来技術のホース締付け具と同じ方法でホース締付け具を使用することも可能である。
【００２７】
ばねバンド２を広げることは従来のペンチ又は図１０による特別なペンチ１２で実現できる。特別な道具すなわちペンチ１２は締付け顎１３を有し、そこでは端７及び８又は９及び１０に隣接するばねバンド２の端部分３、４の歯のない自由バンド領域が受け取られ、ペンチ１２を閉じると、ばねバンド２が最大限望ましい径に到達するまでばねバンド２が円周方向に引っ張られる。歯の列の１つのうちの１つ又はいくつかの歯が、広がった位置の反対側の他の歯の列の１つ又はいくつかの歯の隙間に位置するとき、端部３、４は互いに向かって軸方向に屈曲し、それにより２つの歯の列の歯が互いに結合する。そしてペンチ１２が取り除かれる際、歯は互いに固締する。閉方向に作用するばねバンドのばね力の結果及び歯５及び６の切り込みの結果である。それにより歯は例えば図１、図２、図４及び図５に示されるような固締位置を維持する。
【００２８】
好ましくは、歯のない自由バンド領域は、ホース締付け具が広がるとき、対応する締付け顎１３の溝でそれぞれ受け取られるが、それぞれの溝の軸方向内側の壁が反対側に位置する端部分４又は３の歯６及び５からの隙間を有し、それにより歯５及び６は、ペンチの脚の対応する遊びの結果、端部分を屈曲することにより結合に至る。
【００２９】
締付け顎１３は、ホース締付け具を広げるとき、締付け顎が内側の溝の壁にそれぞれ隣接して置かれる接触表面により互いに接触するように、広がり径を画定する。さらに、締付け顎１３は、円周方向の接触表面が前方又は後方に移動する締付け顎と交換でき、対応して拡大する又は減少する広がり径を達成する。それにより、他の歯５及び６は互いに結合に至ることができる。この目的のために、締付け顎１３は、一方では回転できないように受け口に固定され、他方では、ピンによって固定リングを伴うペンチの脚の開口部に取り外し可能に固定される。固定リングは図示されておらず、ピンの環状溝と結合する。代替案として、締付け顎１３のピンもスナップ方式の動作によってペンチの脚の開口部に取り外せる方法で挿入できる。
【００３０】
その後解除動作は、上述したように、図５によるねじ回し１１又は図１１に示される装置１６によって実質上自動的に実現される。
【００３１】
図１１に示されるように、装置１６はホルダー１８が取り付けられたハウジング１７を有する。磁石１９、好ましくは永久磁石がハウジング１７に提供され、ハウジング１７から頭頂部に突出する１つの極を有する。磁石１９はハウジング１７を通って非常に遠くに延び、他の極がハウジング１７の底面と同一平面となる。磁石１９と横方向に隣接して、棒状のスライド２０がハウジング１７に支持され、ハウジングを通って滑動できる。スライド２０はコイルが図示されていないソレノイドのアーマチュアを形成する。装置１６は端部分３及び４上の半径方向外側に位置し、それにより磁石１９は装置１６を１つの端部分４に固定し、スライド２０の１つの端だけが端部分３に対して載る。
【００３２】
ばねバンド２に関して軸方向に、及び磁石１９及びスライド２０の外側に、存在センサ２１及び２２がハウジング１７にそれぞれ提供される。従って存在センサの検知範囲は、ばねバンド２の端部分３、４の軸方向外側の縁の近傍である。存在センサ２１及び２２はまた、ハウジング１７を通って突出し、それによりそれらは端部分３及び４の軸方向外側で終わる。それらは光波、音波又は電磁波の送受信機をそれぞれ有する。従ってそれらは反射センサとして作用する。各センサ２１、２２の送信機はそれぞれケーブル２３及び２４を経由して電源に接続し、各センサ２１、２２の受信機は同じケーブル２３、２４により配線配置のＡＮＤゲートに接続する。ＡＮＤゲートはホルダー１８上に実装されるが、図示されていない。電源すなわちその供給はさらにスライド２０を駆動するソレノイドのコイルに接続し、コイルは配線配置（回路）に配置される。それにより両方のセンサ２１及び２２により受信信号を受け取る際、コイルへの電流供給のスイッチが入る。
【００３３】
しかし、存在センサ２１及び２２は、それらにより送られる信号がばねバンド２に配置されるホースを表すとき、すなわちホースが存在するとき、受信信号だけを発生させる。随意的に、スライド２０は端部分３に対して半径方向に押しやられ、それにより端部分３は半径方向内側に押しやられ、従って歯５、６が離脱し、端部分３、４がばね作用により互いから軸方向に離れて移動する原因となる。それによりその後ばねバンド２がホースについてきつく縮める。
【００３４】
代替案として、スライド２０は端部分３と取り外せるように結合できる。例えば、スライド２０が端部分３上の横方向の突起物の下面にひっかけるように結合する。その後端部分３はソレノイドにより半径方向外側に引っ張られ、解除される。
【００３５】
さらなる変更によると、解除装置は磁気的にではなく、機械的に端部分４上に取り外せる方法で固定される。別の実施形態によると、スライド２０はソレノイドにより固締され及び解除される。そしてその後固締されていない位置に手動で移動できる。
【００３６】
解除装置１６により、このように結合した歯を伴う広がった位置のホース締付け具の解除は、ホースがホース締付け具内に位置するときに限り確実に実行できる。従って、ホース締付け具がホース上を滑動する前に偶然解除されることはない。このように、ばねバンド２のばね力の解放に起因する衝撃によりホース締付け具が偶然に解除されない及び高速で自由に取り払われないことが保証される。それにより人への損傷を防ぐことができる。
【００３７】
図１２及び図１３は本発明によるばねバンド締付け具のさらなる変更を提供する。端部分３、４には長方形の歯２５及び２６が三角形の歯の代わりに提供され、これらの長方形の歯は互いに結合しない。その代わりに、端部分３、４はばねバンド２が広がった位置で結合部材２８により互いに担持される。結合部材２８は単一平面上に３つの平行な脚２９、３０、３１を有する。中央に配置される脚３０は、歯２５及び２６間の反対側に位置する歯の隙間に突出し、２つの他の脚、すなわち歯２９及び３１は端部分３、４の軸方向外側の縁に対して載る。この実施形態において、広げることは図１０によるペンチ１２によっても実現できる。解除を行うために、結合部材２８は図１３に示されるように、歯２５、２６の間の歯の隙間から離脱する。結合部材２８を歯の隙間から容易に引っ張るために、結合部材２８には環状又は輪状の握り３３が提供される。
【００３８】
図１４、図１５及び図１６は三角形の歯５、６を有するホース締付け具のさらなる変更を提供する。この実施形態では、歯５、６はホース締付け具の半径方向に屈曲し、それによりそれらはばねバンド２の円周を越えて部分的に突出する。このように、歯５、６の半径方向内側の縁は、ばねバンドの力のもとで隣接する歯の側面へ押しやられ、それによりホース締付け具が軸方向に偶然解除されることがさらに難しくなる。
【００３９】
図１から図３及び図６から図１１の実施形態の歯は図１４から図１６の実施形態の歯３５、３６と同様に屈曲されうる。
【００４０】
また、ホース締付け具が１つの最大限許容できる径を実現するためだけに広がるときは、いくつかの歯の代わりにたった１本の歯５、６を各端部分３、４に提供することも可能である。
【００４１】
本発明の具体的な実施形態が発明原理を示すために詳細に示され及び記述される一方で、本発明がこうした原理から離れることなく別の方法でも実施されるということが理解される。
【図面の簡単な説明】
【図１】本発明によるホースクリップを伴うホースを示し、ホース締付け具は広がった及び固締状態でホースを取り囲む。
【図２】図１のホース締付け具の上を半径方向から見た図を示している。
【図３】ホース上に解除状態で締め付けられた図１のホース締付け具の半径方向の図を示している。
【図４】図１から図３によるホース締付け具をわずかに変更した実施形態を示し、自由端がわずかに半径方向外側に屈曲している。
【図５】広がった状態で固締されたホース締付け具のねじ回しによる解除動作の一例である。
【図６】解除状態のホース締付け具が小さい径のホースについてきつく縮める図３と同様の図である。
【図７】図６による配置を軸方向から見た図である。
【図８】径が大きいホースの周囲についてきつく縮める解除状態の本発明によるホース締付け具の図である。
【図９】図８の配置を軸方向から見た図である。
【図１０】本発明によるホース締付け具の特別な道具による締め付けを示している。
【図１１】固締状態の本発明によるホース締付け具及びホース締付け具を解除する本発明による装置を示し、その装置はホース締付け具と結合する。
【図１２】長方形の歯を示す本発明によるホース締付け具の変更であって、端部分がばねバンドの広がった位置で結合部材により互いに担持される。
【図１３】図１２によるホース締付け具の結合部材の半径方向の移動による解除を示している。
【図１４】本発明による図１から図３のホース締付け具のさらなる変更であって、ホース締付け具の部分の形状を斜視図で示している。
【図１５】図１４のホース締付け具の部分の断面図である。
【図１６】図１４のホース締付け具の部分の上面図である。
【符号の説明】
１　ホース
２　ばねバンド
３、４　端部分
５、６　歯
７、８　自由端
９、１０　自由端
１１　ねじ回し
１２　ペンチ
１３　締付け顎
１６　解除装置
１７　ハウジング
１８　ホルダー
１９　磁石
２０　棒状のスライド
２１、２２　存在センサ
２３、２４　ケーブル
２５、２６　歯
２８　結合部材
２９、３０、３１　脚
３３　握り
【図１】
2004036883.tif 000003
【図２】
2004036883.tif 000004
【図３】
2004036883.tif 000005
【図４】
2004036883.tif 000006
【図５】
2004036883.tif 000007
【図６】
2004036883.tif 000008
【図７】
2004036883.tif 000009
【図８】
2004036883.tif 000010
【図９】
2004036883.tif 000011
【図１０】
2004036883.tif 000012
【図１１】
2004036883.tif 000013
【図１２】
2004036883.tif 000014
【図１３】
2004036883.tif 000015
【図１４】
2004036883.tif 000016
【図１５】
2004036883.tif 000017
【図１６】
2004036883.tif 000018
【外国語明細書】
2004036883.tif 000019
2004036883.tif 000020
2004036883.tif 000021
2004036883.tif 000022
2004036883.tif 000023
2004036883.tif 000024
2004036883.tif 000025
2004036883.tif 000026
2004036883.tif 000027
2004036883.tif 000028
2004036883.tif 000029
2004036883.tif 000030
2004036883.tif 000031
2004036883.tif 000032
2004036883.tif 000033
2004036883.tif 000034
2004036883.tif 000035
2004036883.tif 000036
2004036883.tif 000037
2004036883.tif 000038
2004036883.tif 000039
2004036883.tif 000040
2004036883.tif 000041
2004036883.tif 000042
2004036883.tif 000043
2004036883.tif 000044
2004036883.tif 000045
2004036883.tif 000046
2004036883.tif 000047
2004036883.tif 000048
2004036883.tif 000049
2004036883.tif 000050
2004036883.tif 000051
2004036883.tif 000052